(57)【要約】【課題】利用者の立ち位置が、踏板の幅方向の中央にくるように利用者に対して注意喚起を促すことができる乗客コンベアを得る。【解決手段】踏面１６と相対する方向から見て、踏段１４の移動方向に延在するクリート１７が、踏板１５の幅方向に互いに離間するように踏板１５に複数形成され、踏面１６の中央側の表示領域には、踏段１４に乗った利用者が、利用者の前方の特定の範囲にある各踏段１４の踏面１６の表示領域を見たときに、利用者の立ち位置が、踏板１５の幅方向の中央である場合と、幅方向の一側や他側である場合とで異なって見える注意喚起表示部２０が表記されている。【選択図】図２
2012206837.tif 000002
【特許請求の範囲】
【請求項１】
踏面を有する踏板をそれぞれ含み、無端状に連結されて、一対の乗降口間を循環移動する複数の踏段を備え、
上記踏面と相対する方向から見て上記踏段の移動方向に延在するクリートが、上記踏板の幅方向に互いに離間するように上記踏板に複数形成され、
上記踏面の中央側に位置する表示領域には、上記踏段に乗った利用者が、上記利用者の前方の特定の範囲にある上記踏段の上記表示領域を見たときに、上記利用者の立ち位置が、上記踏板の幅方向の中央である場合と、幅方向の一側や他側である場合とで異なって見える注意喚起表示部が表記されていることを特徴とする乗客コンベア。
【発明の詳細な説明】
【技術分野】
【０００１】
この発明は、クリートが形成された踏板を有する踏段を備えるエスカレータなどの乗客コンベアに関する。
【背景技術】
【０００２】
従来のエスカレータは、クリートが奥行き方向全域に亘り、かつ幅方向に所定の間隔で形成された踏面を有し、無端状に連なって、一対の乗降口間を移動する踏段と、踏段の幅方向の両側に設けられる欄干とを備えている（例えば、特許文献１参照）。
【先行技術文献】
【特許文献】
【０００３】
【特許文献１】特開２００５−２４７４７１号公報
【発明の概要】
【発明が解決しようとする課題】
【０００４】
従来のエスカレータでは、踏段の踏面に乗った利用者を、一方から他方の乗降口へ搬送させることになる。このとき、利用者が、踏段の幅方向の一側または他側に移動して欄干に近づくと、例えば、利用者の荷物が、思いがけず欄干に接触し、踏段と欄干との間に挟まってしまう場合がある。
【０００５】
この発明は上記の課題を解決するためになされたものであり、利用者の立ち位置を、踏板の幅方向の中央にさせるように利用者に対して注意喚起を促すことができる乗客コンベアを得ることを目的とする。
【課題を解決するための手段】
【０００６】
この発明の乗客コンベアは、踏面を有する踏板をそれぞれ含み、無端状に連結されて、一対の乗降口間を循環移動する複数の踏段を備え、踏面と相対する方向から見て踏段の移動方向に延在する複数のクリートが、踏板の幅方向に互いに離間するように踏板に形成され、踏面の中央側に位置する表示領域には、踏段に乗った利用者が、利用者の前方の特定の範囲にある踏段の表示領域を見たときに、利用者の立ち位置が、踏板の幅方向の中央である場合と、幅方向の一側や他側である場合とで異なって見える注意喚起表示部が表記されている。
【発明の効果】
【０００７】
この発明に係る乗客コンベアによれば、踏板の幅方向の中央を立ち位置としている利用者から見える注意喚起表示部の内容は、現状を肯定するような内容として設定し、踏板の幅方向の一側及び他側を立ち位置としている利用者から見える注意喚起表示部の内容は、利用者を踏板の幅方向の中央に移動させるような注意喚起を促す内容に設定することで、利用者は、立ち位置を踏板の幅方向の中央側にするように心がけるようになる。これにより、例えば、利用者の荷物が、思いがけず欄干に接触して、踏段と欄干との間に挟まることを防止できる。
【図面の簡単な説明】
【０００８】
【図１】この発明の一実施の形態に係るエスカレータの模式図である。
【図２】この発明の一実施の形態に係るエスカレータの踏段まわりの図であり、踏段の幅方向の中央にいる利用者が、前方に位置する踏段を見たときの様子を示している。
【図３】この発明の一実施の形態に係るエスカレータの踏段まわりの斜視図であり、踏段の幅方向の一側にいる利用者が、前方に位置する所定の踏段の踏板を踏段の幅方向の中央に向かって見たときの様子を示している。
【発明を実施するための形態】
【０００９】
以下、この発明を実施するための最良の形態について、図面を参照して説明する。
【００１０】
図１はこの発明の一実施の形態に係るエスカレータの模式図、図２はこの発明の一実施の形態に係るエスカレータの踏段まわりの図であり、踏段の幅方向の中央にいる利用者が、前方に位置する踏段を見たときの様子を示している。図３はこの発明の一実施の形態に係るエスカレータの踏段まわりの斜視図であり、踏段の幅方向の一側にいる利用者が、前方に位置する所定の踏段の踏板を踏段の幅方向の中央に向かって見たときの様子を示している。
なお、図２及び図３では、説明の便宜上、欄干の図示を省略している。
【００１１】
図１において、乗客コンベアとしてのエスカレータ１は、上下階に設けられた一対の乗降口２間に架設されたトラス３と、トラス３の上階側に設置された機械室４Ａと、トラス３の下階側に設けられた機械室４Ｂと、機械室４Ａに設けられた上部スプロケット７Ａと、機械室４Ｂに設けられた下部スプロケット７Ｂと、上部スプロケット７Ａ及び下部スプロケット７Ｂに無端状に巻き掛けられて図示しない電動機の駆動力により、循環走行する踏段鎖１０と、踏段鎖１０に無端状に連結されて、一対の乗降口２間を踏段鎖１０の走行に連動して循環移動する踏段１４と、踏段１４の横幅方向の両側に立設された一対の欄干１３とを備えている。
【００１２】
各踏段１４は、図２及び図３に示されるように、一面に踏面１６を有し、所定の幅及び奥行きを有する矩形平板状の踏板１５と、踏板１５の奥行き方向の一端側から、踏板の幅方向の全域わたって、踏板１５の他面側に延出するライザ１８とを有する。
【００１３】
踏板１５の奥行き方向に延在する複数のクリート１７が、踏板１５の幅方向に互いに離間するように踏板１５の踏面１６側に形成されている。
踏板１５の奥行き方向に垂直な断面において、踏面１６は凹凸形状を有する。
【００１４】
また、ライザ１８の表面側には、踏板１５からの突出方向に沿って延在する複数のクリート１９が、ライザ１８の幅方向に互いに離間するように形成されている。
ライザ１８の踏板１５からの突出方向に垂直な断面において、ライザ１８の表面は、凹凸形状を有する。
【００１５】
また、踏板１５の幅方向の中央側に位置する踏面１６の所定領域（表示領域）には、後述する注意喚起表示部２０が表記されている。
【００１６】
ここで、複数の踏段１４は、踏面１６と相対する側から見て、踏板１５の奥行き方向が、踏段１４の移動方向（進行方向）に一致されるように、踏段鎖１０に無端状に連結され、踏段鎖１０の走行に連動して循環移動する。即ち、踏面１６と相対する側から見て、クリート１７の延在方向は、踏段１４の移動方向に一致される。なお、踏段１４の循環経路には、利用者を一方の乗降口２から他方の乗降口２へ搬送する往路側経路を有している。踏段１４は、往路側経路を移動する際、踏面１６を上方に向け、踏板１５を水平に維持したまま走行される。
一方の乗降口２から踏板１５上に乗った利用者は、踏段１４が往路側経路を移動するのに伴って、他方の乗降口２まで搬送されることになる。
【００１７】
注意喚起表示部２０は、踏段１４の踏板１５に乗った利用者が、利用者の前方の特定の範囲にある各踏段１４の表示領域を見たときに、利用者の立ち位置が、踏板１５の幅方向の中央である場合と、幅方向の一側及び他側のいずれかである場合とで異なって見えるように表記されている。
【００１８】
注意喚起表示部２０は、例えば、塗装により、踏面１６に表記され、以下に説明する第１パターン２０Ａ及び第２パターン２０Ｂを有する。
【００１９】
第１パターン２０Ａは、図２に示されるように、踏板１５の幅方向の中央Ｐ１を立ち位置とする利用者だけが、利用者の前方の特定の範囲にある各踏段１４の表示領域を見たときに、利用者の注意を引き付ける内容として見えるように踏面１６に表記されている。
特定の範囲は、利用者と、利用者の搬送先となる乗降口２との間のうち、踏板１５の幅方向の中央側を立ち位置としている利用者にとって、注意喚起表示部２０が第１パターン２０Ａとして見える少なくとも一つの踏段１４を含む範囲である。
【００２０】
また、第２パターン２０Ｂは、図２に示されるように、踏板１５の幅方向の一側及び他側のいずれかＰ２を立ち位置とする利用者だけが、利用者の前方の特定の範囲にある各踏段１４の表示領域を見たときに、利用者の注意を引き付ける内容として見えるように表記されている。
特定の範囲は、利用者と、利用者の搬送先となる乗降口２との間のうち、踏板１５の幅方向の一側または他側を立ち位置とする利用者にとって、注意喚起表示部２０が第２パターン２０Ｂとして見える少なくとも一つの踏段１４を含む範囲である。
【００２１】
ここで、利用者の立ち位置が、踏板１５の幅方向の中央にある場合、踏面１６の中央側に位置するクリート１７の底面は、利用者から見えるが、側面は、利用者から略見えない。
【００２２】
第１パターン２０Ａは、複数のクリート１７の壁面のうち、底面に所定のパターンで塗装を施すことで実現される。
第１パターン２０Ａは、図２に示されるように、例えば、利用者が、踏面１６の中央側と相対する側から見て、利用者から「笑い顔」として見えるパターンである。
利用者にとっては、第１パターン２０Ａは、現状が好ましいものとして受け取れる。
【００２３】
また、例えば、利用者の立ち位置が、踏板１５の幅方向の一側にずれて、立ち位置Ｐ２に移動されると、図３に示されるように、利用者が、踏面１６の中央側を見たときには、クリート１７の底面１７ａの少なくとも一部が見えなくなり、代わりにクリート１７の一方及び他方の側面１７ｂのうち、他方の側面１７ｂが見えるようになる。
【００２４】
また、図示しないが、利用者の立ち位置Ｐ１が、踏板１５の幅方向の他側にずれると、クリート１７の一方及び他方の側面１７ｂのうち、一方の側面１７ｂが見えやすくなる。
【００２５】
第２パターン２０Ｂは、複数のクリート１７の両側面１７ｂに所定のパターンで塗装を施すことで実現される。
第２パターン２０Ｂは、図３に示されるように、例えば、立ち位置が、踏板１５の幅方向の一側にずれて欄干１３の近傍にいる利用者が、踏面１６の中央側を見た時に、利用者から「中央へ」と見えるパターンである。
つまり、第２パターン２０Ｂは、利用者にとって現状が好ましくなく、利用者に踏板１５の中央へ立ち位置を変更させるための注意喚起を促す表示内容となっている。
なお、利用者が、立ち位置を踏板１５の幅方向の他側にずらしても、第２パターン２０Ｂが踏面１６の表示領域に見えるように、踏面１６の表示領域に塗装が施されている。
以上のようにエスカレータ１が構成されている。
【００２６】
この発明によれば、踏面１６の中央側に位置する表示領域には、踏段１４に乗った利用者が、利用者の前方の特定の範囲にある各踏段１４の表示領域を見たときに、利用者の立ち位置が、踏板１５の幅方向の中央である場合と、幅方向の一側や他側である場合とで異なって見える注意喚起表示部２０が表記されている。
【００２７】
例えば、踏板１５の幅方向の中央を立ち位置としている利用者から見える注意喚起表示部２０の内容は、現状を肯定するような内容として設定し、踏板１５の幅方向の一側及び他側を立ち位置としている利用者から見える注意喚起表示部２０の内容は、利用者を踏板１５の幅方向の中央に移動させるような注意喚起を促す内容に設定する。これにより、利用者は、立ち位置を踏板１５の幅方向の中央側にするように心がけるので、利用者が、立ち位置を踏板１５の幅方向の一側または他側にすることが抑制される。これにより、例えば、利用者の荷物が、思いがけず欄干１３に接触して、踏段１４と欄干１３との間に挟まることを防止できる。
【００２８】
なお、上記実施の形態では、注意喚起表示部２０は、第１パターン２０Ａ及び第２パターン２０Ｂからなるものとして説明したが、第１パターン２０Ａ及び第２パターン２０Ｂは、このものに限定されない。第１パターン２０Ａを文字として表示したり、第２パターン２０Ｂを絵として表示したりしてもよい。第１パターン２０Ａは、利用者が立ち位置を踏板１５の幅方向の中央にしていることを肯定的にとらえられる内容として表記すればよい。また、パターンは、３つ以上用意してもよい。
【００２９】
また、第２パターンは、利用者の立ち位置を踏板１５の幅方向の中央に向かわせる内容であれば、その種類は問わない。
もしくは、第２パターンは、省略してもよい。この場合、利用者が、踏板１５の幅方向の一側または他側に立ち位置を移動させても、何の表示も見えず、第１パターン２０Ａに利用者の注意喚起が集まるので、踏板１５の幅方向の中央に利用者を向わせる効果が得られる。つまり、荷物等が、踏段１４と欄干１３との間に挟まれるのを防止する効果が得られる。
【００３０】
また、乗客コンベアはエスカレータ１であるものとして説明したが、乗客コンベアが動く歩道であっても本願を適用できる。
【符号の説明】
【００３１】
１  エスカレータ（乗客コンベア）、２  乗降口、１４  踏段、１５  踏板、１６  踏面、２０  注意喚起表示部。
【図１】
2012206837.tif 000003
【図２】
2012206837.tif 000004
【図３】
2012206837.tif 000005